(57)【要約】      （修正有）【課題】組立後のスペーサー形状を安定に維持できるファインダー装置を具備するカメラを提供する。【解決手段】ペンタプリズム２７と、コンデンサレンズ２４と、コンデンサレンズ２４もしくはペンタプリズム２７を透過する光束の透過領域を制限するマスク部材２６と、少なくともコンデンサレンズ２４とペンタプリズム２７とマスク部材２６とを収納する収納部材２２と、ペンタプリズム２７とコンデンサレンズ２４との間に配置された樹脂により形成されたスペーサー２５とを持つファインダー装置を具備するカメラにおいて、スペーサー２５はさらに、マスク部材２６もしくは収納部材２２から受ける応力によりスペーサー２５の変形を抑制する少なくとも１つの突起部を有する。【選択図】図１
2006018058.tif 000002
【特許請求の範囲】
【請求項１】
ペンタプリズムと、コンデンサレンズと、前記コンデンサレンズもしくは前記ペンタプリズムを透過する光束の透過領域を制限する少なくとも一枚のマスク部材と、
少なくとも前記コンデンサレンズと前記ペンタプリズムと前記マスク部材とを収納する収納部材と、前記ペンタプリズムと前記コンデンサレンズとの間に配置された樹脂により形成されたスペーサーとを持つファインダ装置を具備するカメラにおいて、
前記スペーサーはさらに、前記マスク部材もしくは前記収納部材から受ける応力により前記スペーサーの変形を抑制する少なくとも１つの突起部を有することを特徴とするカメラ。
【請求項２】
被写体光束入射方向と垂直な断面が略長方形状を持つコンデンサレンズと、ペンタプリズムと、前記ペンタプリズムと前記コンデンサレンズとの間に配置された樹脂により形成されたスペーサーとを持つファインダ装置を具備するカメラにおいて、
前記スペーサーはさらに、前記コンデンサレンズの前記断面と交わる側面もしくは前記ペンタプリズムの被写体光束入射面と交わる側面から受ける応力により前記スペーサ―の変形を抑制する少なくとも１つの突起部を有することを特徴とするカメラ。
【発明の詳細な説明】
【技術分野】
【０００１】
本発明はカメラのファインダー装置に関する。
【背景技術】
【０００２】
従来、一眼レフカメラのファインダー装置において、フォーカシングスクリーンのピント面からの拡散光を観察者のアイポイントに集光させファインダー像を明るくするために、ペンタプリズムとフォーカシングスクリーンの間にコンデンサレンズを設けているものがある。またコンデンサレンズを具備する一眼レフカメラでは、ファインダー視野率を大きくとるものが多く、そのためにファインダー装置の光学系を大型化しているものがある。ファインダー装置自体の小型化と共にファインダー視野率を確保するために、コンデンサレンズとペンタプリズムとの間隔を保持するスペーサーの肉厚を薄くしているものがある（例えば特許文献１）。
【特許文献１】特開２０００−３３８５５３
【発明の開示】
【発明が解決しようとする課題】
【０００３】
上記スペーサーはコンデンサレンズを付勢する目的等により通常、弾性のある合成樹脂（以下、単に樹脂と称す）で形成されるが、スペーサーを樹脂で肉薄に形成すると、その射出形成時の残留応力等により変形し、スペーサーの一部がファインダー視野内に入ってしまう場合がある。
【０００４】
本発明は、組立後のスペーサー形状を安定に維持できるファインダー装置を具備するカメラを提供することを目的とする。
【課題を解決するための手段】
【０００５】
上記問題点を解決するために、ペンタプリズムと、コンデンサレンズと、前記コンデンサレンズもしくは前記ペンタプリズムを透過する光束の透過領域を制限する少なくとも一枚のマスク部材と、少なくとも前記コンデンサレンズと前記ペンタプリズムと前記マスク部材とを収納する収納部材と、前記ペンタプリズムと前記コンデンサレンズとの間に配置された弾性部材により形成されたスペーサーとを持つファインダー装置を具備するカメラにおいて、前記スペーサーはさらに、前記マスク部材もしくは前記収納部材から受ける応力により前記スペーサーの変形を抑制する少なくとも１つの突起部を有するとした。
【０００６】
さらに上記問題点を解決するために、被写体光束入射方向と垂直な断面が略長方形状を持つコンデンサレンズと、ペンタプリズムと、前記ペンタプリズムと前記コンデンサレンズとの間に配置された弾性部材により形成されたスペーサーとを持つファインダー装置を具備するカメラにおいて、前記スペーサーはさらに、前記コンデンサレンズの前記断面と交わる側面もしくは前記ペンタプリズムの被写体光束入射面と交わる側面から受ける応力により前記スペーサ―の変形を抑制する少なくとも１つの突起部を有するとした。
【発明の効果】
【０００７】
スペーサー自体の形状の変形を考慮する事無くスペーサーを肉薄に形成できるため、ファインダー視野率を大きく確保すると共にファインダー装置自体の小型化が可能となる。
【発明を実施するための最良の形態】
【０００８】
本発明を適用したファインダー装置を具備する一眼レフカメラについて図１〜図４を用いて説明する。
本発明を適用したファインダー装置を具備する一眼レフカメラの縦断面図を図１に示す。カメラボディー１のレンズマウント２には、不図示の撮像レンズが装着される。前記撮像レンズを透過した被写体像光束は、クイックリターンミラー３により屈曲され、フォーカシングスクリーン２１に結像される。フォーカシングスクリーン２１に結像され、拡散した被写体像光束は、コンデンサレンズ２４により集光されると共に歪曲収差が補正され、ペンタプリズム２７により正立像に反転され接眼レンズ４を通りファインダー接眼窓５より観察者により観察される。
【０００９】
フォーカシングスクリーン２１、コンデンサレンズ２４、ペンタプリズム２７はプリズムボックス２２に収納されペンタユニットとしてカメラボディー１に取り付けられる。
また、ファインダー内表示用の液晶表示部７の表示は、プリズム６を通してペンタプリズム２７の底面に入射し、被写体像光束と同様にしてペンタプリズム２７、接眼レンズ４を通りファインダー接眼窓５より観察可能となる。
【００１０】
ペンタユニットの分解図を図２に示す。プリズムボックス２２は樹脂で形成され、底面に開口を持ち上方が開放された略ボックス形状である。プリズムボックス２２には、上方より視野マスク２３、コンデンサレンズ２４、スペーサー２５、液晶視野マスク２６、ペンタプリズム２７が順に収納される。最後にペンタプリズム２７にペンタカバー２８をかぶせ、左右のフック２８ａにペンタバネ２９を掛け、ペンタバネ２９の両端をプリズムボックス２２のフック２２ｂおよびフック２２ｃに掛けることによりプリズムボックス２２へ収納した部材を付勢し固定する。スクリーン押さえ枠２０は、フォーカシングスクリーン２１の縁を保持可能な額縁状部材で、一方の長辺には突起部２０ａが設けられ、他方の長辺はプリズムボックス２２の底面にその長辺を回転軸とし回転可能に取り付けられている。フォーカシングスクリーン２１は、スクリーン押さえ枠２０とプリズムボックス２２の間に位置し、スクリーン押さえ枠２０の突起部２０ａをプリズムボックス２２の押さえバネ２２ｄの開口部に係合させることにより、スクリーン押さえ枠２０により付勢されプリズムボックス２２底面に固定される。プリズムボックス２２はフランジ２２ａにより不図示のミラーボックスに取り付けられる。
【００１１】
視野マスク２３は、枠形状の部材でありファインダー像の視野範囲を制限する。コンデンサレンズ２４は、被写体光束が入射する平面と被写体光束が射出される凸面からなる平凸レンズであり、プリズムボックスに収納可能なように被写体光束の入射方向に対して垂直な断面が略長方形状を持つように形成される。
【００１２】
スペーサー２５は、コンデンサレンズ２４とペンタプリズム２７の間隔を保持すると共にペンタバネ２９による付勢力によりコンデンサレンズ２４を固定する。液晶視野マスク２６はプリズム６を通してペンタプリズム２７の底面に入射する液晶表示部７の表示の必要な領域のみを通す開口２６ａを持つ金属製の枠形状部材である。
【００１３】
以下、スペーサー２５の形状について説明する。スペーサー２５の斜視図を図３に示す。スペーサー２５は図示のごとく４つの壁部を持つ長方形状の樹脂製枠部材である。図示のごとくスペーサー２５の両短辺側面にはそれぞれ突起部２５ｂが上方端面２５ｄよりも突出するように設けられている。突起部２５ｂは、スペーサー２５がプリズムボックス２２に収納されると、プリズムボックス２２に設けられた溝２２ｅにはめ込まれる。また、スペーサ―２５の上方端面２５ｄには液晶視野マスク２６が、液晶視野マスク２６の短辺部が突起部２５ｂの内面２５ｂ'に接するようにはめ込まれる。ペンタユニットの突起部２５ｂを含む断面図を図４に示す。図から明らかなようにスペーサー２５の短辺壁部の、スペーサー２５中心方向への変形は、突起部２５ｂの内面２５ｂ'が液晶視野マスク２６の短辺部から受ける応力により矯正される。
【００１４】
なお、ペンタプリズム２７の被写体光束が入射するプリズム底面２７ａと交わりかつ撮影光軸方向と略並行なプリズム側面２７ｂが突起部２５ｂの内側２５ｂ'に接するようにスペーサー２５上方端面２５ｄにプリズム底面２７ａをはめ込む構造としても良い。この場合、スペーサー２５の短辺壁部の、スペーサー２５中心方向への変形は、突起部２５ｂの内面２５ｂ'がプリズム側面２７ｂから受ける応力により矯正される。
【００１５】
スペーサー２５の一方の長辺側面には図３に示したごとく係合部２５ａが設けられている。係合部２５ａは、プリズムボックス２２に設けられた切欠き２２ｆと係合される（図１参照）。このようにスペーサー２５の係合部２５ａが設けられた長辺壁部の、スペーサー２５中心方向への変形は、係合部２５ａがプリズムボックス２２から受ける応力により矯正される。
【００１６】
また図示のごとくスペーサー２５のもう一方の長辺壁部には下方に伸びる突起部２５ｃが設けられている。突起部２５ｃは、突起部２５ｃの内面２５ｃ'がコンデンサレンズ２４被写体光束入射面と交わる側壁２４ａと接するようにコンデンサレンズ２４の後方側面２４ａとプリズムボックス２２との間に設けられた隙間に差し込まれる（図１参照）。つまりスペーサー２５の突起部２５ｃが設けられた長辺壁部の、スペーサー２５中心方向への変形は、内面２５ｃ'が後方側面２４ａから受ける応力により矯正される。
【００１７】
なお、スペーサー２５の壁部に設けられた係合部２５ａ又は突起部２５ｂ、２５ｃは、必ずしも全ての壁部に設けなくても良く、変形を矯正したい壁部にのみ設ければ良い。
また、上述ではファインダー光学系の一部をプリズムボックス２２に収め不図示のミラーボックスに取り付けるとしたが、これに限る物ではない。例えば前記プリズムボックスがミラーボックス又はカメラボディーと同一筐体となるものでも良い。
【００１８】
以上、本発明をレンズ交換式一眼レフカメラに適用した例について説明したが、本発明をレンズ一体式カメラに適用しても良い。
【図面の簡単な説明】
【００１９】
【図１】一眼レフカメラの縦断面図
【図２】ペンタユニットの分解図
【図３】スペーサー２５の斜視図
【図４】ペンタユニットの断面図
【符号の説明】
【００２０】
１  カメラボディー
２  レンズマウント
３  クイックリターンミラー
４  接眼レンズ
５  ファインダー接眼窓
６  プリズム
７  液晶表示部
２０  スクリーン押さえ枠
２１  フォーカシングスクリーン
２２  プリズムボックス
２３  視野マスク
２４  コンデンサレンズ
２５  スペーサー
２６  液晶視野マスク
２７  ペンタプリズム
２８  ペンタカバー
２９  ペンタバネ
【図１】
2006018058.tif 000003
【図２】
2006018058.tif 000004
【図３】
2006018058.tif 000005
【図４】
2006018058.tif 000006